(57)【要約】【課題】肘掛けの回動を止める機構におけるさび又は腐食の発生を抑制する。【解決手段】浴室用椅子１は、肘掛け８と、浴室用椅子１のフレームに対して肘掛け８を回動させる回動機構（ヒンジピンＱ）と、肘掛け８に固定された棒体８４と、回動機構（ヒンジピンＱ）によって回動する棒体８４を受ける位置に固定され、棒体８４の軸方向に長い規制部９１を備える。例えば、規制部９１は、棒体８４を受ける面に、棒体８４の軸方向に長い凹部を有する。例えば、規制部９１が有する凹部は、軸方向に垂直な断面の形状が、棒体８４の断面の形状に対応する形状である。【選択図】図７
2018019928.tif 000002
【特許請求の範囲】
【請求項１】
浴室用椅子であって
肘掛けと、
前記浴室用椅子のフレームに対して前記肘掛けを回動させる回動機構と、
前記肘掛けに固定された棒体と、
前記回動機構によって回動する前記棒体を受ける位置に固定され、前記棒体の軸方向に長い規制部とを備える
浴室用椅子。
【請求項２】
前記規制部は、前記棒体を受ける面に、前記棒体の軸方向に長い凹部を有する
請求項１に記載の浴室用椅子。
【請求項３】
前記規制部が有する凹部は、軸方向に垂直な断面の形状が、前記棒体の断面の形状に対応する形状である
請求項２に記載の浴室用椅子。
【請求項４】
前記棒体は、軸方向に垂直な断面の形状が円形状であり、
前記凹部は、軸方向に垂直な断面の形状が前記棒体の円形状に対応する形状である
請求項３に記載の浴室用椅子。
【請求項５】
前記回動機構は、
締結具が挿通される貫通孔を有する、前記フレームに固定された固定具を有し、
前記肘掛けは、
前記固定具を挟持する位置に配置される一対の板体であって、前記締結具が挿通される貫通孔を前記一対の板体それぞれが有する一対の板体を有し、
前記回動機構は、さらに、
前記締結具により前記一対の板体と前記固定具とが締結されたときの前記一対の板体の離間距離を規定するスペーサを有する
請求項１〜４のいずれか１項に記載の浴室用椅子。
【請求項６】
前記スペーサは、前記締結具を包囲する位置に設けられる筒体であり、
前記スペーサの軸方向の長さは、前記締結具により前記一対の板体と前記固定具とが締結されたときの前記一対の板体の離間距離と略同一である
請求項５に記載の浴室用椅子。
【発明の詳細な説明】
【技術分野】
【０００１】
本発明は、浴室用椅子に関する。
【背景技術】
【０００２】
一般に、病人、老人及び身体障害者などは、入浴時に椅子に腰掛けて体を洗うのが好都合である。しかし、浴室は、空間的余裕が比較的小さいので、椅子を使わない時には、折り畳む等してコンパクトにすることができるとよい。このような観点から、折り畳み可能な浴室用椅子が提案されている。
【０００３】
特許文献１は、前脚に対して後脚を開閉できるように軸支し、不使用時にコンパクトに折り畳むことのできる折り畳み椅子を開示している。この折り畳み椅子は、さらに、フレームに対して肘掛けが回動することで、使い勝手及びコンパクト性の向上に寄与している。
【先行技術文献】
【特許文献】
【０００４】
【特許文献１】特開２０１１−５０６４１号公報
【発明の概要】
【発明が解決しようとする課題】
【０００５】
しかしながら、浴室用椅子のフレームには、機械的強度の観点から一般的に金属材料が用いられる。そのため、肘掛けの回動を止めて使用状態に保持する機構の構造のいかんによっては、金属材料が外部に露出し、水分、石鹸分その他の異物が付着し得る。この状態が長期間続くと、金属材料にさび又は腐食が生じるという問題がある。この点、特許文献１は、肘掛けの回動を止める機構の具体的構成について一切開示していない。
【０００６】
本発明は、肘掛けの回動を止める機構におけるさび又は腐食の発生を抑制する浴室用椅子を提供することを目的とする。
【課題を解決するための手段】
【０００７】
上記目的を達成するために、本発明の一態様に係る浴室用椅子は、肘掛けと、前記浴室用椅子のフレームに対して前記肘掛けを回動させる回動機構と、前記肘掛けに固定された棒体と、前記回動機構によって回動する前記棒体を受ける位置に固定され、前記棒体の軸方向に長い規制部を備える。
【発明の効果】
【０００８】
本発明の浴室用椅子は、肘掛けの回動を止める機構におけるさび又は腐食の発生を抑制することができる。
【図面の簡単な説明】
【０００９】
【図１】実施の形態に係る浴室用椅子について、肘掛けの使用状態を示す斜視図である。
【図２】実施の形態に係る浴室用椅子について、肘掛けの跳ね上げ状態を示す斜視図である。
【図３】実施の形態に係る浴室用椅子の分解斜視図である。
【図４】実施の形態に係る浴室用椅子を一部省略して示す拡大斜視図である。
【図５】実施の形態に係る浴室用椅子の使用状態、及び、肘掛けの使用状態を示す側面図である。
【図６】実施の形態に係る浴室用椅子の格納状態、及び、肘掛けの跳ね上げ状態を示す側面図である。
【図７】図１の矢印ＶＩＩの方向に見た肘掛け及び規制部を示す模式図である。
【図８】図７の矢印ＶＩＩＩの方向に見た肘掛けの外観を示す外観図である。
【図９】実施の形態に係る浴室用椅子の使用状態における肘掛けの付け根部分を示す拡大斜視図である。
【図１０】実施の形態に係る浴室用椅子の跳ね上げ状態における肘掛けの付け根部分を示す拡大斜視図である。
【図１１】図７のＸＩ−ＸＩ断面線における回動機構の断面を示す断面図である。
【発明を実施するための形態】
【００１０】
以下、本実施の形態に係る浴室用椅子について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置、及び、接続形態などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。
【００１１】
（実施の形態）
以下、本発明の浴室用椅子の実施の形態について、図面を参照しながら説明する。なお、下記説明において、各図面中に示すＸＹＺ座標軸を用いた説明を行う場合もある。また、Ｚ軸のプラス方向及びマイナス方向を、それぞれ、上（上方向）及び下（下方向）といい、Ｙ軸のプラス方向及びマイナス方向を、それぞれ、前（前方向）及び後ろ（後方向）といい、Ｘ軸のプラス方向及びマイナス方向を、それぞれ、右（右方向）及び左（左方向）ということもある。
【００１２】
図１〜図６を参照しながら本実施の形態の浴室用椅子１の基本的な構成について説明する。
【００１３】
図１は、本実施の形態に係る浴室用椅子１の肘掛け８が使用姿勢にある状態を示す斜視図である。図２は、本実施の形態に係る浴室用椅子１の肘掛が跳ね上げ姿勢にある状態を示す斜視図である。図３は、本実施の形態に係る浴室用椅子１の分解斜視図である。図４は、本実施の形態に係る浴室用椅子１を一部省略して示す拡大斜視図である。図５は、本実施の形態に係る浴室用椅子１の使用状態、及び、肘掛け８の使用状態を示す側面図である。図６は、本実施の形態に係る浴室用椅子１の格納状態、及び、肘掛け８の跳ね上げ状態を示す側面図である。
【００１４】
浴室用椅子１は、前脚２と、前脚２に回動自在に軸支された後脚３と、前脚２及び後脚３にわたって設けられた座板４と、前脚２の上端部に取り付けられた背もたれ５と、座板４と後脚３（具体的には後述する補強杆３６）とを連結するリンク６と、肘掛け８とを備える。浴室用椅子１は、ＸＹ平面に平行な床面に載置されることが想定される。
【００１５】
前脚２は、前脚本体２１と、前伸縮脚２２とを備える。
【００１６】
前脚本体２１は、正面より見て略逆Ｕ字状に屈曲されるとともに、側方（つまり、右方向又は左方向）より見て略縦Ｚ字状に屈曲されたフレームである。前脚本体２１は、床面に略平行な水平部を有する。前伸縮脚２２は、前脚本体２１の各端部にそれぞれ摺動自在に嵌挿されたフレームである。前脚本体２１と、前伸縮脚２２とは、剛性部材で形成され、より具体的には、金属製パイプ、例えば、防錆性や軽量性が優れたアルミニウムパイプで形成されている。
【００１７】
前脚本体２１の各端部近傍には、ばね２３（図５及び図６参照）を介して外周面から突出するように位置決めピン２４が設けられている。また、前脚本体２１の対向する各水平部の中間部には、プラスチック製のヒンジブラケット２５がそれぞれ固定されている。また、前脚本体２１の対向する各水平部の前端部間には補強杆２６が溶着され、また、上記各水平部の後端部近傍間には補強杆２６１が溶着されている。補強杆２６及び２６１は、前脚本体２１の構造を補強する機能を有する。
【００１８】
前伸縮脚２２は、前脚本体２１に設けられた位置決めピン２４に対応して、所定の間隔をおいて複数個の位置決め穴２２ａを有する。そして、位置決め穴２２ａに位置決めピン２４を嵌合させることにより、前脚本体２１に対する前伸縮脚２２の伸縮量を調節して、前脚本体２１に対して前伸縮脚２２を固定することができる。
【００１９】
前伸縮脚２２の下端部には、使用状態において床面に面接触する形状を有する脚ゴム２７が装着されており、床面である洗い場面を傷つけたり、滑ったりすることを防止する機能を有する。
【００２０】
後脚３は、後脚本体３１と、後伸縮脚３２とを備える。後脚本体３１は、側方から見て略逆Ｌ字状に屈曲されたフレームである。後脚本体３１は、床面に略平行な水平部と、床面に略垂直な垂直部とを有する。後伸縮脚３２は、各後脚本体３１の下端部に摺動自在に嵌挿されたフレームである。後脚本体３１と、後伸縮脚３２とは、前脚２と同様に、剛性部材、より具体的にはアルミニウムパイプで形成されている。後脚３が第二脚に相当する。
【００２１】
各後脚本体３１の下端部近傍には、ばね３３（図５及び図６参照）を介して外周面から突出するように、位置決めピン３４が設けられている。また、後脚本体３１の水平部は、前述した前脚本体２１の水平部の下方に配置され、その先端部、すなわち、前端部には、ヒンジブラケット３５が固定されている。ヒンジブラケット３５は、前脚本体２１に固定されたヒンジブラケット２５を支持するとともに、ヒンジピンＰを介してヒンジブラケット２５に連結されている。ヒンジピンＰを介した連結により、前脚本体２１に対して左右一対の後脚本体３１を互いに連動してヒンジピンＰ回りに回動させることができる。
【００２２】
ヒンジピンＰは、例えば、前脚２の接地部中心（脚ゴム２７の中心）及び後脚３の接地部中心（脚ゴム３７の中心）間を結ぶ線分を底辺とする二等辺三角形の頂点に位置するように設定される。
【００２３】
なお、後脚本体３１の水平部と垂直部との対向する交差部近傍間には、補強杆３６が溶着されており、一対の後脚３を同調して作動させることができる。
【００２４】
後伸縮脚３２には、後脚本体３１に設けられた位置決めピン３４に対応して、所定の間隔をおいて複数個の位置決め穴３２ａが形成されており、位置決め穴３２ａに位置決めピン３４を嵌合させることにより、後脚本体３１に対する後伸縮脚３２の伸縮量を調節して、後脚本体３１に対して後伸縮脚３２を固定することができる。また、後伸縮脚３２の下端部には、使用状態において床面に面接触する形状を有する脚ゴム３７が装着されており、床面である洗い場面を傷つけたり、滑ったりすることを防止する機能を有する。
【００２５】
なお、前脚２及び後脚３の材質は、アルミニウム以外に、鉄あるいはステンレスであってもよい。
【００２６】
座板４は、図３に詳細に示すように、座本体４１と、クッション部４２とを備える。座本体４１は、略方形中空状のプラスチック製部材である。クッション部４２は、座本体４１に合致する形状に形成されて座本体４１の上面全体を覆う発泡プラスチック製のクッション部材である。
【００２７】
座本体４１には、複数個の嵌合穴４１ａが形成され、一方、クッション部４２の裏面には、座本体４１の嵌合穴４１ａに嵌合する突出部４２ａが下方に向けて形成されている。座本体４１の嵌合穴４１ａにクッション部４２の突出部４２ａを嵌合及び離脱させることにより、座本体４１にクッション部４２を容易に取り付け及び取り外しを行うことができる。これにより、クッション部４２を座本体４１から取り外して洗浄したり、交換したりすることが容易になる。また、使用者が座板４に座ったときに、使用者の臀部の大部分がクッション部４２に接触し、つまり、使用者の臀部が前脚２等の剛性部材に接触することが抑制されるので、使用者にとって座り心地がよいという利点がある。前脚２等の剛性部材が金属部材である場合には、使用者が冷たさを感じることが抑制される利点もある。
【００２８】
なお、座本体４１及びクッション部４２には、両者を貫通する複数個の水抜き穴２ａ（図１参照）が形成されている。
【００２９】
また、座本体４１は、その略中間部の後端寄りが、前述した前脚本体２１の対向する水平部の後端部近傍間に溶着された補強杆２６１に回動自在に連結されており、また、その後端部がリンク６の一端部と回動自在に連結され、リンク６の他端部が、前述した後脚本体３１の水平部と略垂直部との対向する交差部近傍間に溶着された補強杆３６に回動自在に連結されている。
【００３０】
したがって、図５において、座板４の前端部を把持して持ち上げると、座板４は、前脚２との軸支部（補強杆２６１）回りに時計回り方向に回動し、略垂直状態に格納することができる。このとき、座板４の後端部がリンク６の一端部により軸支され、また、リンク６の他端部が後脚３の後脚本体３１（補強杆３６）により軸支されていることから、座板４がリンク６を介して後脚３を押し下げ、後脚３をヒンジピンＰ回りに時計回り方向に回動させる。このため、前脚本体２１に対して後脚３を接近させ、前脚２及び後脚３を閉脚することができる（図６参照）。
【００３１】
一方、図６において、座板４の前端部を把持して押し下げると、座板４は、前脚２との軸支部（補強杆２６１）回りに反時計回り方向に回動し、前脚２の補強杆２６に略水平状態に支持される。このとき、座板４がリンク６を介して後脚３を引き上げ、後脚３をヒンジピンＰ回りに反時計回り方向に回動させ、前脚本体２１に対して後脚３を離隔させ、前脚２及び後脚３を開脚することができる（図５参照）。
【００３２】
背もたれ５は、図３に示すように、背もたれ本体５１と、クッション部５２とを備える。背もたれ本体５１は、略方形中空状のプラスチック製部材である。クッション部５２は、背もたれ本体５１に合致する形状に形成されて背もたれ本体５１の前面全体を覆う発泡プラスチック製部材である。
【００３３】
背もたれ本体５１には、複数個の嵌合穴５１ａが形成され、一方、クッション部５２の裏面には、背もたれ本体５１の嵌合穴５１ａに嵌合可能な突出部５２ａが後方に向けて形成されている。背もたれ本体５１の嵌合穴５１ａにクッション部５２の突出部５２ａを嵌合及び離脱させることにより、背もたれ本体５１にクッション部５２を容易に取り付け及び取り外しを行うことができる。これにより、クッション部５２を背もたれ本体５１から簡単に取り外して洗浄したり、交換したりすることができる。この場合、クッション部５２の突出部５２ａは、背もたれ本体５１の嵌合穴５１ａから容易に脱落しないように、一定の摩擦力で嵌合されるものである。また、使用者が座板４に座ったときに、使用者の背中の大部分がクッション部５２に接触し、つまり、使用者の背中が前脚２等の剛性部材に接触することが抑制されるので、使用者にとって座り心地がよいという利点がある。前脚２等の剛性部材が金属部材である場合には、使用者が冷たさを感じることが抑制される利点もある。
【００３４】
なお、背もたれ本体５１及びクッション部５２には、両者を貫通する把持穴５ａ（図１参照）が形成されている。使用者は、把持穴５ａに指を挿入して、浴室用椅子１を持ち運びすることができる。
【００３５】
また、背もたれ５の背もたれ本体５１は、前脚本体２１の水平な上端部及び前脚本体２１の水平な上端部に固定された取付金具７とビス止めされている。
【００３６】
肘掛け８は、回動機構（後述するヒンジピンＱ等）を介して前脚本体２１のうちの背もたれ５の付近に接続され、前方向に延設されたフレームである。肘掛け８は、回動機構により前脚本体２１に対して回動することで、床面に略平行な使用状態（図１参照）と、床面に略垂直な跳ね上げ状態（図２参照）とをとり得る。肘掛け８は、後述する規制部９１により支持されることで、使用状態に維持される。肘掛け８は、浴室用椅子１に座っている使用者の肘が載置されるための肘掛けとして機能する。
【００３７】
なお、肘掛け８の作動は、座板４の回動とは独立である。また、浴室用椅子１が使用される状態では、肘掛け８の表面の大部分がカバーで覆われていてもよい（図１等参照）。カバーは、肘掛け本体８１等に傷がついたり、水分、石鹸分その他の異物が付着するのを防ぐ効果があり、また、使用者の肌が直接に肘掛け８を構成する金属部材に触れることで使用者が冷たさを感じることを回避することができる利点もある。なお、カバーを取り払った状態の肘掛け８は、図８〜図１０に示される。
【００３８】
次に、このように構成された浴室用椅子１の作動について説明する。
【００３９】
浴室用椅子１が図１及び図４に示す使用状態にあるとき、座板４は、前脚２の補強杆２６１に回動自在に連結されるとともに、前脚２の補強杆２６に略水平状態で支持されている。また、前脚２に対して後脚３が離隔するように開脚され、それらの脚ゴム２７、３７は、床面に接地されている。
【００４０】
この状態で使用者は、座板４に座り、体を洗う等することができる。この際、使用者の臀部及び背中には、座本体４１及び背もたれ本体５１を覆って設けられたクッション部４２及び５２が接触するので、冬場の冷たさを緩和することができるとともに、座り心地が良い。また、使用者がバスタブに入るときには、肘掛け８が跳ね上げ状態となる。これにより、座板４の側方に肘置き等の障害物が存在しない状態になるので、使用者の身体を左右方向にスライドさせるだけで使用者がバスタブに入ることができる。言い換えれば、使用者がバスタブに入るときに、使用者が前後方向又は上下方向に身体を移動させる必要がない。具体的には、座板４の上面を、図示しないバスタブの框上面と同じ高さで連続するように配置することにより、使用者の臀部を座板４からバスタブの框に簡単に移乗させることができ、介護者による作業の負担を軽減することができる。
【００４１】
さらに、浴室用椅子１の使用が終了すれば、使用者は、図１、図２及び図５において、座板４の前端部を把持して持ち上げれば、座板４は、前脚２との軸支部（補強杆２６１）回りに時計回り方向に回動する。このとき、座板４の後端部がリンク６の一端部と軸支され、リンク６の他端部が後脚３の後脚本体３１（補強杆３６）と軸支されていることから、座板４がリンク６を介して後脚３を押し下げ、後脚３をヒンジピンＰ回りに時計回り方向に回動させ、前脚本体２１に対して後脚３を接近させ、前脚２及び後脚３を閉脚することができる。しかも、閉脚された前脚２及び後脚３は同一高さ位置で床面に接地するとともに、略垂直状態の座板４も閉脚された前脚２及び後脚３間に配置されるため、格納状態に前脚２及び後脚３を閉脚した場合であっても、浴室用椅子１は自立する。この結果、浴室用椅子１を自立しつつ小さなスペースで保管することができる（図６参照）。なお、上記のとおり肘掛け８の作動は座板４の回動とは独立であるので、図６において、肘掛け８が跳ね上げ状態ではなく使用状態をとっていてもよい。
【００４２】
図６に示される格納状態では、側面視において、リンク６の一端部と座板４との軸支部が、リンク６の他端部と後脚３との軸支部（補強杆３６）及び前脚２と座板４との軸支部（補強杆２６１）を結ぶ線分を越えて前脚２と後脚３との軸支部（ヒンジピンＰ）側にある。このように、前脚２と座板４との軸支部（補強杆２６１）、リンク６の一端部と座板４との軸支部、及び、リンク６の他端部と後脚３との軸支部（補強杆３６）は、二つのリンクをＬ字状に連結して形成されるトグル機構の連結点となる。このため、座板４の自重によっては、前脚２と後脚３との軸支部（ヒンジピンＰ）側に位置しているリンク６の一端部と座板４との軸支部が、リンク６の他端部と後脚３との軸支部（補強杆３６）及び前脚２と座板４との軸支部（補強杆２６１）を結ぶ線分を越えることはなく、座板４は、略垂直状態に保持される。
【００４３】
一方、浴室用椅子１を使用する場合は、格納状態において、座板４の前端部を把持して押し下げると、座板４は、前脚２との軸支部（補強杆２６１）回りに反時計回り方向に回動する。すなわち、各軸支部の遊びにより、前脚２と後脚３との軸支部（ヒンジピンＰ）側に位置しているリンク６の一端部と座板４の後端部との軸支部を、リンク６の他端部と後脚３との軸支部（補強杆３６）及び前脚２と座板４との軸支部（補強杆２６１）を結ぶ線分を越えて位置させることができる。したがって、座板４がリンク６を介して後脚３を引き上げ、後脚３をヒンジピンＰ回りに反時計回り方向に回動させ、前脚本体２１に対して後脚３を離隔させ、前脚２及び後脚３を開脚することができる（図５参照）。
【００４４】
以上の構成により浴室用椅子１は、使用状態において前脚２及び後脚３により滑ることなく自立するとともに、格納状態を維持しながら自立することができる。
【００４５】
以降において、肘掛け８の回動と、肘掛け８を使用状態に維持するための構成、つまり、肘掛け８の回動を止める機構におけるさび又は腐食の発生を抑制する技術について詳細に説明する。
【００４６】
図７は、図１における矢印ＶＩＩの方向に見た肘掛け８及び規制部９１を示す模式図である。図８は、図７の矢印ＶＩＩＩの方向に見た肘掛け８の外観を示す外観図である。図９は、本実施の形態に係る浴室用椅子１の使用状態における肘掛け８の付け根部分を示す拡大斜視図である。図１０は、本実施の形態に係る浴室用椅子１の跳ね上げ状態における肘掛け８の付け根部分を示す拡大斜視図である。なお、図７は模式図であり、また、図８〜図１０に示される肘掛け８はその表面を覆うカバーが取り払われた状態であるので、これらの図に示される肘掛け８は図１等の肘掛け８と形状が異なるが、動作及び機能は同一である。
【００４７】
図７に示されるように、固定具９は、例えば溶着により、前脚本体２１のうち背もたれ５付近に固定的に設けられている。固定具９は、規制部９１と、貫通孔９２とを備える。規制部９１は、回動する肘掛け８（より具体的には、後述する棒体８４）を受ける位置に設けられ、肘掛け８の回動範囲を規制する機能を有する。貫通孔９２は、後述するヒンジピンＱが挿通されるための孔である。固定具９の材質は、鉄又はステンレスなどの剛性部材である。なお、規制部９１は、肘掛け８の棒体８４が接触する部分であるので、強度が高いステンレスで構成されていると、傷がついたり破損したりすることが防止される利点がある。
【００４８】
図７及び図８に示されるように、肘掛け８は、肘掛け本体８１と、側板８２及び８３と、棒体８４と、貫通孔８５及び８６とを備える。肘掛け８の材質は、鉄又はステンレスなどの剛性部材である。
【００４９】
肘掛け本体８１は、使用者の肘が置かれる長尺状の板体である。肘掛け本体８１は、人間の肘から手先の部分の形状に沿うように湾曲していてもよい（図８参照）。
【００５０】
側板８２及び８３は、肘掛け本体８１の２つの長辺それぞれに固定的に接続して設けられた一対の板体である。側板８２及び８３は、所定の離間距離を隔てて対向して配置されている。側板８２及び８３は、肘掛け本体８１に、例えば溶着により固定されたものであってもよいし、一の板体を折り曲げることで、肘掛け本体８１とともに形成されたものであってもよい。
【００５１】
棒体８４は、側板８２及び８３それぞれに固定的に接続され、側板８２及び８３の離間距離を維持することで、肘掛け８の構造を維持する。また、棒体８４は、肘掛け８が回動するときに固定具９の規制部９１に当たる位置に設けられており、規制部９１に当たることで肘掛け８の回動範囲を規制する。棒体８４は、例えば溶着により、その両端それぞれが、側板８２及び８３に固定されて形成される。
【００５２】
貫通孔８５及び８６は、側板８２及び８３それぞれに設けられヒンジピンＱが挿通される貫通孔である。
【００５３】
肘掛け８の貫通孔８５及び８６と、固定具９の貫通孔９２とにはヒンジピンＱが挿通され、肘掛け８がヒンジピンＱを介して固定具９に対して回動される。これにより、肘掛け８は、使用状態及び跳ね上げ状態それぞれの位置及び姿勢、並びに、それらの間の位置及び姿勢をとることができる。なお、使用状態は、肘掛け８が図７に実線で示される位置及び姿勢にある状態であり、使用状態にある肘掛け８の付け根部分の斜視図が図９に示されている。また、跳ね上げ状態は、図７に二点鎖線で示される位置及び姿勢（肘掛け８Ａ）にある状態であり、跳ね上げ状態にある肘掛け８の付け根部分の斜視図が図１０に示されている。
【００５４】
肘掛け８は、使用状態において、棒体８４が規制部９１に当接しており、肘掛け８に及ぼされる重力などの床面に向かう力（紙面上の下方向の力）により、棒体８４が規制部９１を押圧している。言い換えれば、規制部９１は、肘掛け８に及ぼされる床面に向かう力に抗して、肘掛け８を使用状態における位置及び姿勢に維持している。
【００５５】
規制部９１は、棒体８４の軸方向に長い形状を有する、言い換えれば、棒体８４の軸方向に長尺を有する。これにより、規制部９１は、比較的広い面積で棒体８４の外周面と接触し、棒体８４を通じて及ぼされる力を比較的広い面積で受ける。これにより、棒体８４の表面、及び、規制部９１の表面に過度の圧力がかかることが抑制される利点がある。
【００５６】
仮に固定具９と肘掛け８とが、いわゆる点又は線による接触をすることで固定具９が肘掛け８の回動範囲を規制する構成をとると、その接触面積が比較的小さいので、固定具９及び肘掛け８の接触部分に塗装の剥がれが生じたり、傷がついたりすることがあり得る。これに対し、本実施の形態に係る固定具９と肘掛け８とは、規制部９１と棒体８４との面による接触により固定具９が肘掛け８の回動範囲を規制する。これにより、規制部９１と棒体８４との接触部分に過度の圧力がかかることで塗装の剥がれが生じること、又は、傷がつくことが未然に防止される効果がある。
【００５７】
なお、規制部９１は、棒体８４を受ける面に、棒体８４の軸方向に長い凹部を有してもよい。さらに、規制部９１が有する凹部は、軸方向に垂直な断面の形状が、棒体８４の断面の形状に対応する形状であってもよい。これにより、規制部９１と棒体８４との接触面積をより大きくすることができ、規制部９１の表面に過度の圧力がかかることをより一層抑制することができる。また、棒体８４が規制部９１の凹部に嵌合することで、規制部９１のうちの適切な位置において肘掛け８を受けることができる。
【００５８】
また、棒体８４は、軸方向に垂直な断面の形状が円形状であり、規制部９１が有する凹部は、軸方向に垂直な断面の形状が棒体８４の円形状に対応する形状であってもよい。これにより、円柱体（いわゆる丸棒）である棒体８４と、当該円柱体と合致する形状の凹部とを用いて、より簡易的かつ具体的に肘掛け８の回動を止める機構を実現することができる。なお、棒体８４の軸方向に垂直な断面の形状は、上記の円形状に限定されず、多角形形状、又は、多角形径形状と円形状との組み合わせなど任意の形状を採用することができる。ここで、棒体８４及び上記凹部の断面の形状がそれぞれ円形状及び円形状に合致する形状である場合、これらが多角形形状及び多角形形状に合致する形状である場合と比較して、水分、石鹸分その他の異物が多角形形状の窪み部分等に付着することが少ないので、棒体８４と凹部との嵌合を妨げることが少ない利点がある。
【００５９】
以降において、肘掛け８が回動する際の回動の重さを調整する技術について説明する。ここで、回動の重さとは、回動しようとする肘掛け８に働く抵抗力の大きさを意味し、より具体的には、肘掛け８と固定具９との接触面に働く摩擦抵抗の大きさを意味する。
【００６０】
図１１は、図７のＸＩ−ＸＩ断面線における回動機構の断面を示す断面図である。
【００６１】
図１１に示されるように、回動機構は、固定具９の貫通孔９２と、肘掛け８の側板８２及び８３の貫通孔８５及び８６とに挿通されるヒンジピンＱにより実現される。ヒンジピンＱは、固定具９、並びに、側板８２及び８３を回動可能に連結している。また、ヒンジピンＱはナットＲにより固定される。ヒンジピンＱとナットＲとは、固定具９と、側板８２及び８３とを締結する締結具として機能する。ナットＲによる締結の強度を調整することで、固定具９と、側板８２及び８３とが互いに押圧する力が調整されることで、固定具９と側板８２及び８３との間に働く摩擦力が調整される。なお、ヒンジピンＱ及びナットＲは、上記で説明した固定具９及び肘掛け８を締結するときに、カバー９５及びワッシャ９６などをともに締結してもよい。
【００６２】
ここで、ナットＲによる締結の強度を適切な強度に調整し、また、調整した強度に維持することは難しい。上記強度は、例えば浴室用椅子１の組み上げ時の締結の強度によって定まるが、その後に、浴室用椅子１の使用者がナットＲを絞めたり緩めたりすることで容易に変化し得るものである。
【００６３】
そこで、浴室用椅子１は、ナットＲによる締結の強度を規制するスペーサＳを有する。スペーサＳは、ヒンジピンＱ及びナットＲにより側板８２及び８３と固定具９とが締結されたときの、側板８２及び８３の離間距離を規定する。言い換えれば、スペーサＳは、側板８２及び８３と、固定具９との締結の強度が所定以下になるように規制する。スペーサＳが配置される位置、及び、スペーサＳが離間距離を規定する機能について図１１を参照しながら詳細に説明する。
【００６４】
図１１に示されるように、固定具９は、カバー９３と固定具本体９４とを備える。カバー９３は、固定具本体９４の表面を覆うカバーである。カバー９３の材質は、可撓性を有する物質、例えば合成樹脂である。固定具本体９４は、前脚本体２１に固定的に設けられている。固定具本体９４の材質は、剛性部材であり、例えば、鉄、アルミニウム又はステンレスなどの金属である。
【００６５】
ヒンジピンＱ及びナットＲにより、側板８２及び８３、並びに、固定具９が締結されるとき、側板８２及び８３とカバー９３とが面接触し、互いに押圧される。この状態で、肘掛け８が固定具９に対して回動すると、この回動を妨げる向きに、側板８２及び８３とカバー９３との押圧力に応じた摩擦抵抗力が発生する。
【００６６】
スペーサＳは、ヒンジピンＱを包囲する位置に設けられる筒体である。スペーサＳの軸方向の長さは、ヒンジピンＱ及びナットＲにより側板８２及び８３と固定具９とが締結されたときの、側板８２及び８３の離間距離と略同一である。スペーサＳは、側板８２及び８３の離間距離を規定することで、側板８２及び８３とカバー９３との押圧力が所定以上にならないように規制し、これにより、側板８２及び８３とカバー９３とに働く摩擦抵抗力が所定以上にならないように規制する。そして、この規制は、スペーサＳの軸方向の長さによって調整される。
【００６７】
よって、スペーサＳがある状態でヒンジピンＱ及びナットＲにより、側板８２及び８３、並びに、固定具９が締結した場合、ヒンジピンＱ及びナットＲの締結の強度が所定以上にならないように規制され、これにより、上記摩擦抵抗力が所定以上になることが回避される。このように、スペーサＳは、その軸方向の長さに基づいて、肘掛け８の回動の重さを調整することができる。
【００６８】
以上のように本実施の形態における浴室用椅子１等は、肘掛け８と、浴室用椅子１等のフレームに対して肘掛け８を回動させる回動機構（ヒンジピンＱ等）と、肘掛け８に固定された棒体８４と、回動機構（ヒンジピンＱ等）によって回動する棒体８４を受ける位置に固定され、棒体８４の軸方向に長い規制部９１とを備える。
【００６９】
これによれば、棒体８４と規制部９１との接触面積を比較的広くすることができる。より具体的には、棒体８４の外周面と規制部９１の表面とが点接触になることが回避され、線接触又は面接触になることで、上記接触部分を広くすることができる。これにより、棒体８４の外周面と規制部９１の表面とに過度の圧力がかかることが抑制され、塗装の剥がれが生じたり、傷がついたりすることが回避される。その結果、浴室用椅子１は、肘掛け８の回動を止める機構におけるさび又は腐食の発生を抑制することができる。
【００７０】
例えば、規制部９１は、棒体８４を受ける面に、棒体８４の軸方向に長い凹部を有する。
【００７１】
これによれば、規制部９１が、凹部によって棒体８４を受けることにより、凹部がない場合と比較して、棒体８４と規制部９１との接触面積をより広くすることができる。その結果、浴室用椅子１は、肘掛け８の回動を止める機構におけるさび又は腐食の発生を、より一層抑制することができる。
【００７２】
例えば、規制部９１が有する凹部は、軸方向に垂直な断面の形状が、棒体８４の断面の形状に対応する形状である。
【００７３】
これによれば、規制部９１が、棒体８４の断面形状に対応した形状の凹部によって棒体８４を受けることにより、棒体８４と規制部９１との接触面積をより広くすることができる。その結果、浴室用椅子１は、肘掛け８の回動を止める機構におけるさび又は腐食の発生を、より一層抑制することができる。
【００７４】
例えば、棒体８４は、軸方向に垂直な断面の形状が円形状であり、凹部は、軸方向に垂直な断面の形状が棒体８４の円形状に対応する形状である。
【００７５】
これによれば、断面形状が円形である棒体８４、つまり丸棒と、丸棒の外周面に対応して合致する形状を有する凹部により、容易に、肘掛け８の回動を止める機構におけるさび又は腐食の発生を抑制することができる。
【００７６】
例えば、回動機構は、締結具（ヒンジピンＱ）が挿通される貫通孔を有する、上記フレームに固定された固定具９を有し、肘掛け８は、固定具９を挟持する位置に配置される一対の側板８２及び８３であって、締結具（ヒンジピンＱ）が挿通される貫通孔を側板８２及び８３それぞれが有する側板８２及び８３を有し、回動機構は、さらに、締結具（ヒンジピンＱ）により側板８２及び８３と固定具９とが締結されたときの側板８２及び８３の離間距離を規定するスペーサＳを有する。
【００７７】
これによれば、スペーサＳにより、肘掛け８と固定具９との締結の強度が規定されることにより、回動しようとする肘掛け８と固定具９との接触面に働く摩擦抵抗の大きさが所定以上にならないように（言い換えれば、所定未満になるように）、規制される。その結果、浴室用椅子１は、肘掛け８の回動を止める機構におけるさび又は腐食の発生を抑制するとともに、肘掛け８が回動する際の回動の重さを調整することができる。
【００７８】
例えば、スペーサＳは、締結具（ヒンジピンＱ）を包囲する位置に設けられる筒体であり、スペーサＳの軸方向の長さは、締結具（ヒンジピンＱ）により側板８２及び８３と固定具９とが締結されたときの側板８２及び８３の離間距離と略同一である。
【００７９】
これによれば、スペーサＳの軸方向の長さが、肘掛け８と固定具９とが適切に締結された状態における、一対の板体の離間距離となっているので、締結具による締結が一定の強度以上になることが抑制される。また、スペーサＳが締結具を包囲していることにより、スペーサＳの全周に亘って均等に、肘掛け８と固定具９との締結の強度が規定される。これにより、肘掛け８が回動する際の回動の重さをより適切に調整することができる。
【００８０】
（その他）
以上、本発明に係る浴室用椅子について、上記実施の形態に基づいて説明したが、本発明は、上記の実施の形態に限定されるものではない。
【００８１】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００８２】
１    浴室用椅子
２    前脚
３    後脚
４    座板
８、８Ａ    肘掛け
９    固定具
８２、８３    側板
８４    棒体
９１    規制部
９２、８５、８６    貫通孔
Ｐ、Ｑ    ヒンジピン
Ｓ    スペーサ
【図１】
2018019928.tif 000003
【図２】
2018019928.tif 000004
【図３】
2018019928.tif 000005
【図４】
2018019928.tif 000006
【図５】
2018019928.tif 000007
【図６】
2018019928.tif 000008
【図７】
2018019928.tif 000009
【図８】
2018019928.tif 000010
【図９】
2018019928.tif 000011
【図１０】
2018019928.tif 000012
【図１１】
2018019928.tif 000013